(57)【特許請求の範囲】
【請求項１】
デジタル画像データに基づいてデジタルプリントを作成する際に、所定の変換テーブルにより前記デジタル画像データを液晶パネルの駆動データに変換し、該駆動データを用いて液晶パネルを駆動するデジタルプリント作成方法において、
前記所定の変換テーブルによる駆動データへの変換で適正な画像を得る標準液晶パネルに対する実際に適用される実装液晶パネルでの変換時の誤差を、液晶パネルの遮光状態を段階的に変えるように作成された駆動データを用いて前記実装液晶パネルを駆動させたときの当該液晶パネルの透過光量と、前記作成された駆動データと、に基づいて認識し、該誤差を用いて前記所定の変換テーブルを、適用される実装液晶パネル毎に補正するデジタルプリント作成方法。
【請求項２】
デジタル画像データに基づいてデジタルプリントを作成するデジタルプリント作成装置において、
前記デジタル画像データを液晶パネルの駆動データに変換するルックアップテーブルと、
前記液晶パネルの遮光状態を段階的に変えるように当該液晶パネルを駆動させるための駆動データを作成する駆動データ設定部と、
前記駆動データ設定部により作成された駆動データを用いて、前記液晶パネルを駆動させたときの前記液晶パネルの透過光量を検出するセンサと、
前記センサによって検出される前記液晶パネルの透過光量と前記作成された駆動データに基づき、前記変換テーブルを補正するルックアップテーブル変更部と、
を備えたことを特徴とするデジタルプリント作成装置。
【請求項３】
前記駆動データは、前記液晶パネルの遮光状態を全閉状態から全開状態に至るまで段階的に変えるように作成されていることを特徴とする請求項１記載のデジタルプリント作成方法。
【請求項４】
前記駆動データは、前記液晶パネルの遮光状態を全閉状態から全開状態に至るまで段階的に変えるように作成されていることを特徴とする請求項２記載のデジタルプリント作成装置。
【請求項５】
デジタル画像データに基づいてデジタルプリントを作成するデジタルプリント作成装置において、
前記デジタル画像データをインクジェット式プリンタの駆動データに変換するルックアップテーブルと、
前記インクジェット式プリンタを駆動させるための各種レベルの駆動データを作成する駆動データ設定部と、
インクの噴出側に設けられ、前記駆動データ設定部により作成された各種レベルの駆動データを用いて、前記インクジェット式プリンタを駆動させたときの当該インクジェット式プリンタのインクの吐出量を検出するセンサと、
前記センサの出力結果と前記各種レベルの駆動データに基づき、前記変換テーブルを補正するルックアップテーブル変更部と、
を備えたことを特徴とするデジタルプリント作成装置。
【請求項６】
デジタル画像データに基づいてデジタルプリントを作成するデジタルプリント作成装置において、
前記デジタル画像データを熱転写プリンタの駆動データに変換するルックアップテーブルと、
前記熱転写プリンタを駆動させるための各種レベルの駆動データを作成する駆動データ設定部と、
前記駆動データ設定部により作成された各種レベルの駆動データを用いて、前記熱転写プリンタを駆動させたときの出熱側の温度を検出する温度センサと、
前記温度センサの出力結果と前記各種レベルの駆動データに基づき、前記変換テーブルを補正するルックアップテーブル変更部と、
を備えたことを特徴とするデジタルプリント作成装置。
【発明の詳細な説明】
【０００１】
【発明の属する技術分野】
本発明はデジタルプリント作成方法およびデジタルプリント作成装置に係り、より詳しくは写真フィルム上に記録された画像を用いてデジタルプリントを作成するデジタルプリント作成方法およびデジタルプリント作成装置に関する。
【０００２】
【従来の技術】
近年、デジタルプリントの１種として、１本の現像済フィルムにどのような写真が撮影されているかを簡単に検索できるように、各コマをマトリクス状に並べてプリントしたインデックスプリントが提案されている。このようなインデックスプリントを作成することができるインデックスプリンタには、画像表示手段として液晶パネルを適用し、写真フィルムに記録された複数の画像コマを液晶パネルの表示面に１度に表示して、通常のプリントよりも小さい画像として同時に印画紙に焼付けするようになったものが知られている。
【０００３】
図６は従来の液晶パネルを用いたインデックスプリンタの構成例の概要を示すブロック図である。以下に同図を用いて従来の液晶パネルを用いたインデックスプリンタの動作の概要を説明する。なお、図６における画像メモリ１０６にはインデックスプリントを行う写真フィルムの画像データが予め記憶されているものとする。
【０００４】
画像メモリ１０６に記憶されているインデックスプリントを行う写真フィルムの画像データに対し、ルックアップテーブル２５Ａは、出力機器としての液晶パネル３１を駆動させるための駆動データに変換する。この際の変換方法は、標準的な液晶パネルおよび光源を用いた場合を想定して予め設定されているものである。副制御部２３Ａでは、液晶パネルドライバ３２を介して前記ルックアップテーブル２５Ａによって作成された液晶パネル駆動データを用いて、液晶パネル３１を駆動させる。液晶パネル３１の各画素は、駆動データに応じて、その透過光量が調整され、画像を表示することができる。以上の動作により液晶パネル３１に画像を表示させたのち、光源２６を発光させ、液晶パネル３１に照射し、液晶パネル３１を透過した光を露光レンズ３５によって集光して印画紙５４に結像させプリントする。なお、液晶パネル３１を透過する光は平行光である。
【０００５】
この際用いられるルックアップテーブル２５Ａは、液晶パネルおよび露光光源の標準的な特性に基づいて設定されているため、液晶パネルあるいは露光光源の製造上の個々のばらつきには対応しておらず、このため必ずしも最適な液晶パネル駆動データを作成できるとは限らなかった。
【０００６】
【発明が解決しようとする課題】
本発明は上記事実を考慮して成されたもので、出力機器あるいは露光光源の製造上の個々のばらつきを考慮した最適なデジタルプリント作成方法およびデジタルプリント作成装置を提供することを目的としている。
【０００７】
【課題を解決するための手段】
上記目的を達成するために請求項１記載のデジタルプリント作成方法は、デジタル画像データに基づいてデジタルプリントを作成する際に、所定の変換テーブルにより前記デジタル画像データを液晶パネルの駆動データに変換し、該駆動データを用いて液晶パネルを駆動するデジタルプリント作成方法において、前記所定の変換テーブルによる駆動データへの変換で適正な画像を得る標準液晶パネルに対する実際に適用される実装液晶パネルでの変換時の誤差を、液晶パネルの遮光状態を段階的に変えるように作成された駆動データを用いて前記実装液晶パネルを駆動させたときの当該液晶パネルの透過光量と、前記作成された駆動データと、に基づいて認識し、該誤差を用いて前記所定の変換テーブルを、適用される実装液晶パネル毎に補正することを特徴としている。
【０００８】
請求項１記載の発明によれば、前記変換テーブルは、実際に適用される実装液晶パネル毎に補正される。この結果、前記変換テーブルによって得られる実装液晶パネルの駆動データは液晶パネルの製造上の個々のばらつきに対応したものとなり、最適な状態でデジタルプリントを作成することができる。
【０００９】
請求項２記載のデジタルプリント作成装置は、デジタル画像データに基づいてデジタルプリントを作成するデジタルプリント作成装置において、前記デジタル画像データを液晶パネルの駆動データに変換するルックアップテーブルと、前記液晶パネルの遮光状態を段階的に変えるように当該液晶パネルを駆動させるための駆動データを作成する駆動データ設定部と、前記駆動データ設定部により作成された駆動データを用いて、前記液晶パネルを駆動させたときの前記液晶パネルの透過光量を検出するセンサと、前記センサによって検出される前記液晶パネルの透過光量と前記作成された駆動データに基づき、前記変換テーブルを補正するルックアップテーブル変更部と、を備えたことを特徴としている。
【００１０】
請求項２記載の発明によれば、駆動データ設定部によって作成された駆動データを用いて液晶パネルを駆動させたときの液晶パネルの透過光量をセンサが検出し、この検出結果と前記作成された駆動データに基づいて前記変換テーブルを補正する。この結果、前記変換テーブルによって得られる液晶パネルの駆動データは液晶パネルの個々のばらつきに対応したものとなり、最適な状態でデジタルプリントを作成することができる。
【００１１】
また、請求項１記載のデジタルプリント作成方法は、請求項３に記載のように、前記駆動データは、前記液晶パネルの遮光状態を全閉状態から全開状態に至るまで段階的に変えるように作成されていることが好ましい。
【００１２】
さらに、請求項２記載のデジタルプリント作成装置は、請求項４に記載のように、前記駆動データは、前記液晶パネルの遮光状態を全閉状態から全開状態に至るまで段階的に変えるように作成されていることが好ましい。
なお、請求項２に記載の発明は、請求項５記載の発明のように、デジタル画像データに基づいてデジタルプリントを作成するデジタルプリント作成装置において、前記デジタル画像データをインクジェット式プリンタの駆動データに変換するルックアップテーブルと、前記インクジェット式プリンタを駆動させるための各種レベルの駆動データを作成する駆動データ設定部と、インクの噴出側に設けられ、前記駆動データ設定部により作成された各種レベルの駆動データを用いて、前記インクジェット式プリンタを駆動させたときの当該インクジェット式プリンタのインクの吐出量を検出するセンサと、前記センサの出力結果と前記各種レベルの駆動データに基づき、前記変換テーブルを補正するルックアップテーブル変更部と、を備えたものとすることができる。
また、請求項２に記載の発明は、請求項６記載の発明のように、デジタル画像データに基づいてデジタルプリントを作成するデジタルプリント作成装置において、前記デジタル画像データを熱転写プリンタの駆動データに変換するルックアップテーブルと、前記熱転写プリンタを駆動させるための各種レベルの駆動データを作成する駆動データ設定部と、前記駆動データ設定部により作成された各種レベルの駆動データを用いて、前記熱転写プリンタを駆動させたときの出熱側の温度を検出する温度センサと、前記温度センサの出力結果と前記各種レベルの駆動データに基づき、前記変換テーブルを補正するルックアップテーブル変更部と、をえたものとすることができる。
【００１３】
【発明の実施の形態】
以下、図面を参照して本発明の実施の形態の一例を詳細に説明する。
【００１４】
図１に示されるように、プリンタプロセッサ１０は、外部をケーシング１２により覆われており、本プリントおよび副プリントの印画紙への露光を行うプリンタ部５８と、露光された印画紙に対し現像・定着・水洗・乾燥の各処理を行うプロセッサ部７２と、から構成されている。
【００１５】
プリンタ部５８には、ケーシング１２から（図１の左方へ向けて）突出する作業テーブル１４が設置されており、作業テーブル１４の上面には、ネガフィルム１６をセットするネガキャリア１８、およびオペレータがコマンドやデータ等を入力するためのキーボード１５が配置されている。
【００１６】
作業テーブル１４の下方には主露光用光源部３６が設置されている。主露光用光源部３６には光源３８が設置されており、光源３８から射出された光が作業テーブル１４上に位置するネガキャリア１８にセットされたネガフィルム１６へ照射されるように、色補正フィルタ（以下、Ｃｏｌｏｒ−Ｃｏｒｒｅｃｔｉｏｎ  Ｆｉｌｔｅｒ  ：ＣＣフィルタという）４０および拡散筒４２が順に配設されている。ＣＣフィルタ４０はＣ（シアン）、Ｍ（マゼンタ）、Ｙ（イエロー）の各フィルタから構成され、各々はＣＣフィルタ制御部３９（図２参照）による制御の下に作動し、光源３８から射出された光の光軸上に出没可能とされている。
【００１７】
ネガキャリア１８の上方（図１において上側）には、アーム４４が設けられ、アーム４４内には、主露光用光学系４６およびインデックスプリント等の副プリントの露光を行う副プリント部２２が設けられている。
【００１８】
主露光用光学系４６には、ネガフィルムの光の射出側からハーフミラー４３、露光倍率を変更するための露光レンズ４８、ブラックシャッタ５０およびミラー５１が順に配設されており、ネガ画像を露光室５２にセットされた印画紙５４に結像するようになっている。
【００１９】
アーム４４の上方右側面とケーシング１２の上面との角部には、装着部６０が設けられており、装着部６０には、印画紙５４をリール６２に層状に巻き取って収容するペーパマガジン６４が装着されている。装着部６０近傍にはローラ対６６が配置されており、印画紙５４を挟持して水平状態で露光室５２へ搬送する。
【００２０】
露光室５２には、ローラ６７、６８がさらに配置され、露光室５２においてネガフィルム１６の画像が焼付けられた印画紙５４が、ローラ６６、６７、６８の各々により搬送され、後述するプロセッサ部７２へ搬送される。
【００２１】
プロセッサ部７２には、発色現像処理液が貯留された発色現像処理槽７４、漂白定着処理液が貯留された漂白定着処理槽７６、および水洗処理液が貯留された複数のリンス処理槽７８が設けられており、印画紙５４が各槽を順に通過することで、現像・定着・水洗処理が行われる。水洗処理された印画紙５４は搬送されて、リンス処理槽７８に隣接する乾燥部８０で乾燥処理が施される。
【００２２】
印画紙５４は、図示しない一対のローラに挟持され、乾燥処理終了後に乾燥部８０から一定速度で排出される。乾燥部８０の下流側にはカッタ部８４が設けられており、印画紙５４が図示しないカッタによって画像コマ毎にカットされ、ソータ部９２へ排出される。ソータ部９２では、仕分けられると共に所定の検定作業が行われる。この検定作業によって、所謂ピンボケ等の不良プリントが抜き取られた後、正常な写真プリントはネガフィルムと共に顧客へと返却される。
【００２３】
図２に示されるように、ハーフミラー４３で反射する光路の下流側には、測光用の画像の倍率を変更するための測光用レンズ４５およびハーフミラー４７が順に配置されている。なお、測光レンズ４５は、本実施の形態では、所定倍率に固定されている。
【００２４】
ハーフミラー４７により光が反射される方向には、イメージセンサ等で構成されたスキャナ１０８が配置されており、スキャナ１０８にはスキャナ１０８で読み取ったネガフィルム１６の各コマの画像データに対し所定の画像処理を行う画像信号処理部１０２が接続されている。
【００２５】
画像信号処理部１０２にはモニタ１０４が接続されており、モニタ１０４には、ネガフィルム１６の各コマの画像について、設定された条件に基づいて作製された場合のプリントのシミュレーション画像が表示される。また、画像信号処理部１０２には、画像データを記憶するための画像メモリ１０６が接続されており、画像信号処理部１０２はスキャナ１０８で読み取ったネガフィルム１６の各コマの画像データを画像メモリ１０６に記憶する。
【００２６】
一方、ハーフミラー４７を透過する光路の下流側には、ネガフィルム１６の各コマの画像濃度を測定するためのネガ濃度測定部５６が設けられており、ネガ濃度測定部５６は、イメージセンサ等で構成されたスキャナ５６Ｂと、スキャナ５６Ｂで読み取ったネガフィルム１６の各コマの画像濃度を測定するネガ濃度測定器５６Ａと、から構成されている。このネガ濃度測定器５６Ａは、主制御部２０に接続されている。
【００２７】
主制御部２０は、露光室５２（図１参照）の下方に設置されている。この主制御部２０は図示しないＣＰＵ、ＲＡＭ、ＲＯＭ、入出力コントローラ等により構成されている。主制御部２０には、ＣＣフィルタ制御部３９、ネガ濃度測定器５６Ａ、画像信号処理部１０２および後述する副制御部２３が接続されており、これらの各構成機器の動作を監視・制御している。
【００２８】
以上は、主露光部に関係する露光系であり、本実施の形態においては、この主露光部の他に、前もって画像メモリ１０６に記憶されている画像データに基づいて、インデックスプリントを作成する副プリント部２２の露光系が搭載されている。
【００２９】
副プリント部２２には、光源制御部２４により作動制御されるインデックス画像露光用光源２６として、赤色光を射出する発光ダイオード（以下、Ｒ−ＬＥＤという）２６Ａ、緑色光を射出する発光ダイオード（以下、Ｇ−ＬＥＤという）２６Ｂ、および青色光を射出する発光ダイオード（以下、Ｂ−ＬＥＤという）２６Ｃが設けられている。各ダイオードは、Ｇ−ＬＥＤ２６Ｂからの射出光およびＢ−ＬＥＤ２６Ｃからの射出光がダイクロイックミラー２８によってＲ−ＬＥＤ２６Ａからの射出光の露光光軸Ｘに一致するように配置されている。
【００３０】
光源制御部２４は後述する副制御部２３に接続されており、副制御部２３の信号に応じて、光源２６の各色成分に対応する光量を調整して、印画紙５４に焼付けされる画像の露光量を補正することができるようになっている。
【００３１】
光源２６による露光光軸Ｘの下流側には、液晶パネル３１が設けられており、その近傍で画像に影響しない位置に、ミラー３０が配置され、その反射方向には光源光量センサ２９が配置されている。光源光量センサ２９は、光源から射出された光の光量を測定するためのものである。
【００３２】
液晶パネル３１は、多数の液晶素子が規則的に配列されており、接続されている液晶パネルドライバ３２からの信号に応じて、例えば２５６段階で光を透過（階調に相当する）させることが可能である。
【００３３】
液晶パネル３１は、液晶パネルドライバ３２を介して副制御部２３に接続されている。この副制御部２３は、ＣＰＵ、ＲＡＭ、ＲＯＭおよび入出力コントローラ等からなるマイクロコンピュータにより構成され、ルックアップテーブル２５に接続されており、さらにこのルックアップテーブル２５は画像メモリ１０６に接続されている。
【００３４】
ルックアップテーブル２５では、画像メモリ１０６に記憶されたネガフィルム１６の各コマの画像データを、予め設定してある変換テーブルに従って液晶パネル３１の駆動データに変換するようになっている。
【００３５】
副制御部２３は、ルックアップテーブル２５を介して画像メモリ１０６に記憶されたネガフィルム１６の各コマの画像データに対応する駆動データを読み出し、所定の配置状態にコマ画像を配置した１件分のインデックス画像データに対応する駆動データを形成するようになっている。形成された１件分のインデックス画像データのうちの所定の数コマ分、１例として５コマ分（１列分）の画像データに対応する画像の液晶パネル駆動データは、副制御部２３により、各液晶素子に対する透過状態に応じた信号として、液晶パネルドライバ３２に出力されるようになっている。これにより、液晶パネルドライバ３２がこの信号に応じて各液晶素子（画素）の透過状態を制御して液晶パネル３１に対応する画像を表示させる。
【００３６】
副制御部２３は、インデックス画像データを形成する他に、ルックアップテーブル２５における変換テーブルを、液晶パネル３１および光源２６の特性に対応して予め設定する機能も持つ。なお、これについては詳しく後述する。
【００３７】
液晶パネル３１の射出側で画像に影響しない位置には、ミラー３４が配置され、その反射方向に透過光量センサ３３が配置されている。透過光量センサ３３は、液晶パネル３１の透過光の光量を測定するためのものであり、副制御部２３に接続されている。
【００３８】
また液晶パネル３１の射出側には、倍率を変更可能な露光レンズ３５が配置されており、露光レンズ３５によって液晶パネル３１の透過画像が印画紙５４上に所定の倍率で結像されるようになっている。
【００３９】
副制御部２３には、さらに上述した光源制御部２４、光源光量センサ２９および透過光量センサ３３が接続されている。副制御部２３は、光源光量センサ２９により測定されたＲ、Ｇ、Ｂ各色の光量値に基づいて適正な光量の補正量を算出し、光源２６の各成分の光量を光源制御部２４によって補正させる。同様に、副制御部２３は、透過光量センサ３３により測定された透過光量値に基づき、適正な透過光量となるように液晶パネルドライバ３２を制御して液晶パネル３１に表示する画像の濃度を調整する。
【００４０】
ここで、前記副制御部２３では、インデックスプリントを行う通常モードの他、予め光源２６および液晶パネル３１の特性に対応してルックアップテーブル２５における変換テーブルを補正するルックアップテーブル補正モードを備えている。
【００４１】
次に、図３を参照して、ルックアップテーブル補正モードを実行する際の、副制御部２３について説明する。
【００４２】
副制御部２３には、ルックアップテーブル設定部１２２が備えられており、ルックアップテーブル設定部１２２にはルックアップテーブル設定判定部１２４が備えられている。
【００４３】
ルックアップテーブル設定判定部１２４では、ルックアップテーブルの設定を行うか否かの判定を行うようになっている。この際、ルックアップテーブル設定判定部１２４では、オペレータが主制御部２０を介してキーボード１５を用いて、ルックアップテーブルの補正を行う旨のコマンドを入力した場合についてのみ、ルックアップテーブルの補正を行うと判定し、ルックアップテーブル変更の指示信号を出力するようになっている。
【００４４】
ルックアップテーブル設定判定部１２４には、駆動データ設定部１２６が接続されており、駆動データ設定部１２６ではルックアップテーブル設定判定部１２４からのルックアップテーブル変更の指示信号を入力すると、液晶パネル３１の駆動データを、液晶パネル３１の遮光状態が全閉状態から全開状態に至るまで段階的に設定し、出力するようになっている。
【００４５】
駆動データ設定部１２６には更に、表示指示部１２０および記憶部１２８が接続されており、前記駆動データを表示指示部１２０へ出力すると同時に、記憶部１２８へ記憶するようになっている。
【００４６】
表示指示部１２０には、液晶パネルドライバ３２を介して液晶パネル３１が接続されており、表示指示部１２０では、液晶パネルドライバ３２を介して駆動データ設定部１２６からの駆動データを用いて、液晶パネル３１を駆動するようになっている。
【００４７】
一方、液晶パネル３１の射出側に設けられた透過光量センサ３３は、光源２６を所定レベルで点灯させた状態で、液晶パネル３１を透過する光量を測定するようになっている。
【００４８】
透過光量センサ３３には、上述した記憶部１２８が接続されており、測定した透過光量を記憶部１２８に、液晶パネル３１の前記駆動データと対応付けて記憶するようになっている。
【００４９】
記憶部１２８には、ルックアップテーブル変更部１３０が接続されており、ルックアップテーブル変更部１３０には更にルックアップテーブル２５が接続されている。ルックアップテーブル変更部１３０では、記憶部１２８に記憶されている液晶パネルの駆動データおよび透過光量を参照してルックアップテーブル２５の内容を補正するようになっている。
【００５０】
駆動データに対する透過光量の関係は図４の理想特性３０１に示すように直線的になっていることが理想であるが、実際には液晶パネル３１や光源２６の特性のばらつきによって、例えば実特性３０２に示すようになっており、この値が記憶部１２８に記憶されている。ルックアップテーブル変更部１３０は、記憶部１２８に記憶されている値に基づき、結果的に駆動データと透過光量の特性が理想特性３０１のように直線的になるようにルックアップテーブル２５の変更テーブルの内容を変更している。
【００５１】
次に、本発明の実施の形態の作用を説明する。
プリンタプロセッサ１０のプリンタ部５８では、プリントすべき画像を記録したネガフィルム１６をネガキャリア１８にセットして、光源３８によってネガフィルム１６を透過する。ネガフィルム１６を透過した光により結像されるネガフィルム１６の画像の濃度をネガ濃度測定部５６により測定する。測定されたネガフィルム１６の画像の濃度に基づいて、主制御部２０により適正な露光条件（例えば、ＣＣフィルタ４０の各フィルタの挿入量等）が設定される。設定された露光条件に基づいて、ネガフィルム１６の画像が印画紙５４の所定の焼付領域に焼付けされる。
【００５２】
一方、副プリント部２２における画像の露光処理では、光源３８によって透過されたネガフィルム１６の画像をスキャナ１０８で読み取り、読み取った画像データを画像信号処理部１０２を介して画像メモリ１０６に記憶する。副制御部２３により、ルックアップテーブル２５を介して画像メモリ１０６から画像データを読み出し、ルックアップテーブル２５を介することによって得られる駆動データに基づいて液晶パネル３１に表示された画像を、印画紙５４に露光する。
【００５３】
上述した各露光処理により画像が焼付けされた印画紙５４は、プロセッサ部７２に搬送されて現像・定着・水洗処理される。水洗処理された印画紙５４は乾燥部８０へ搬送され、高温の空気により乾燥処理される。乾燥処理された印画紙５４は、カッタ部８４へ搬送されて画像コマ毎にカットされ、写真プリントとなる。そして、写真プリントは、ソータ部９２へ排出され、ソータ部９２において仕分けされる。
【００５４】
一方で、副制御部２３では、オペレータによって主制御部２０を介してキーボードより入力されるルックアップテーブル変更指示がある場合には、液晶パネルドライバ３２を介して実際に液晶パネル３１の遮光状態を全閉状態から全開状態まで段階的に変化させ、この際の液晶パネル３１の透過光量を透過光量センサ３３を用いて測定し、該透過光量とその際の液晶パネル３１の駆動データとの関係から、ルックアップテーブル２５の内容の補正を行う。
【００５５】
次に図５を用いて、副制御部２３によるルックアップテーブル２５の補正処理について詳しく説明する。
【００５６】
なお、ルックアップテーブル２５には予め標準的な液晶パネルおよび露光光源の特性に基づいた変換設定が成されているものとする。
【００５７】
オペレータによりルックアップテーブル２５の補正が指示されると、ステップ２００において、液晶パネル３１を駆動するためのデータが設定される。この際の液晶パネル３１を駆動するためのデータは、予め設定されている初期値、上限値および増分値を用いて設定されるものであり、オペレータによるルックアップテーブル２５の補正指示直後においては、初期値がそのまま設定され、次回以降このステップ２００が実行される際には前回設定された値に前記増分値が加算された値が設定される。なお、本実施の形態における初期値は、液晶パネル３１の遮光状態を全閉にする値であり、上限値は液晶パネル３１の遮光状態を全開にする値である。
【００５８】
ステップ２００によって液晶パネル３１の駆動データが設定されると、ステップ２０２において、前記駆動データに基づいて液晶パネル３１が駆動される。
【００５９】
液晶パネル３１が駆動されると、ステップ２０４において、光源２６が所定レベルにて点灯している状態で、透過光量センサ３３を用いて液晶パネル３１の透過光量が検出され、該透過光量と、このときの駆動データとが対応付けられて、副制御部２３の内部に保存される。
【００６０】
透過光量および駆動データが副制御部２３の内部に保存されると、ステップ２０６において、透過光量の検出がすべて終了したか否かが判断される。この際の判断は、この段階での駆動データと予め設定した前記上限値とを比較することにより行う。即ち、駆動データが予め設定した上限値未満である場合は、未終了であると判断してステップ２００ヘ処理を移行し、駆動データが上限値以上である場合には、終了したと判断してステップ２０８へ処理を移行する。
【００６１】
従ってステップ２００乃至ステップ２０６の処理により、液晶パネル３１の遮光状態を全閉状態から全開状態まで所定の増分値にて変化させた時の透過光量と、その際の駆動データが保存されることになる。
【００６２】
ステップ２０６により透過光量の検出がすべて終了したと判断されると、ステップ２０８において、ルックアップテーブル変換データが作成される。この際のルックアップテーブル変換データは、前記透過光量センサ３３によって得られた透過光量と、その際の駆動データとの関係が、図４の理想特性３０１と略同一となるように、予め設定された変換データとの差分値として算出される。
【００６３】
ルックアップテーブル変換データが作成されると、ステップ２１０において、前記ステップ２０８において得られたルックアップテーブル変換データを用いてルックアップテーブル２５の内容が補正される。ルックアップテーブル変換データは、ルックアップテーブル２５に予め設定されている変換データとの差分値として得られているので、ここでは従来データに対して加算あるいは減算するのみで処理が実行される。
【００６４】
以上の処理により、各段階毎の駆動データにおける液晶パネルの実際の透過光量を検出し、これをルックアップテーブル２５に反映させるため、液晶パネルおよび露光光源の個々のばらつきに対応した、画像データから液晶パネル駆動データへの変換処理が可能となる。
【００６５】
なお、本実施の形態では、出力装置として液晶パネルを用いた場合について説明したが、本発明はこれに限定されるものではなく、例えばインクジェット式プリンタあるいは熱転写プリンタ等を出力装置として用いてもよい。この際には各出力装置に対応したセンサを出力側に設置し、これを利用することにより本発明を実施することができる。例えばインクジェット式プリンタを用いた場合は、インクの噴出側にインクの吐出量を検出するセンサを設け、各種レベルの駆動データにおけるセンサ出力結果に基づいてルックアップテーブルを変更するようにすればよい。また、熱転写プリンタを用いた場合には、出熱側に温度センサを設け、各種レベルの駆動データにおけるセンサ出力結果に基づいてルックアップテーブルを変更するようにすればよい。
【００６６】
また、本実施の形態では、透過光量センサ３３によって検出された液晶パネル３１の透過光量とその際の駆動データとの関係からのみ、ルックアップテーブル２５の内容を補正する場合について説明したが、本発明はこれに限定されるものではなく、光源光量センサ２９によって検出される光源光量から、ルックアップテーブルを補正させるようにしてもよい。
【００６７】
【発明の効果】
以上説明したように本発明に係るデジタルプリント作成方法およびデジタルプリント作成装置は、出力装置の個々の特性差に応じた出力装置の駆動データを作成することができるので、高品質なデジタルプリントを作成することができる、という効果がある。
【図面の簡単な説明】
【図１】本発明の実施の形態のプリンタプロセッサの概略構成図である。
【図２】プリンタプロセッサにおけるプリンタ部の構成を示すブロック図である。
【図３】ルックアップテーブルを補正する際の副制御部について説明するシステム構成図である。
【図４】液晶パネルの駆動データと透過光量との関係を示す図である。
【図５】ルックアップテーブルの補正処理を示すフローチャートである。
【図６】従来の液晶パネルを用いたインデックスプリンタの構成例の概要を示すブロック図である。
【符号の説明】
１０    プリンタプロセッサ
２０    主制御部
２２    副プリント部
２３    副制御部
２５    ルックアップテーブル
２６    光源
３１    液晶パネル
３２    液晶パネルドライバ
３３    透過光量センサ（センサ）
３８    光源
５４    印画紙（感光材料）
５８    プリンタ部
１０６    画像メモリ
１２０    表示指示部
１２２    ルックアップテーブル設定部
１２４    ルックアップテーブル設定判定部
１２６    駆動データ設定部
１２８    記憶部
１３０    ルックアップテーブル変更部
３０１    理想特性
３０２    実特性
【図１】
0003617723.tif 000002
【図２】
0003617723.tif 000003
【図３】
0003617723.tif 000004
【図４】
0003617723.tif 000005
【図５】
0003617723.tif 000006
【図６】
0003617723.tif 000007